(57)【特許請求の範囲】
【請求項１】
下方開口部を有する本体ケースと、
吸込口、及び吹出口を有し、本体ケースの下方開口部を覆う下面カバーと、を備え、
本体ケース内に、
吸込口から吹出口へ向かって空気の送風路を形成する送風ファンと、
給水源から供給される水と熱媒とを熱交換する液々熱交換器と、
液々熱交換器に接続された給水管及び出湯管と、
液々熱交換器に接続された湯水用熱媒導入管及び湯水用熱媒導出管と、が収容された浴室空調機であって、
下面カバーは、吸込口及び吹出口の外周に形成された所定幅の外周壁と、吸込口と吹出口との間に対向する外周壁を連結する所定幅の連結壁とを有し、
給水管、出湯管、湯水用熱媒導入管、及び湯水用熱媒導出管からなる配管群の少なくとも一部は、吸込口の上方に設けられており、
吸込口の上方に位置する配管群を下方から覆うように、下面カバーとの間に結露用カバーが設けられ、
結露用カバーは、吸込口に対向する底壁を有し、
結露用カバーの底壁の少なくとも一部は、下面カバーの連結壁上まで延在されているとともに、連結壁側が低くなるように傾斜面で形成されている浴室空調機。
【請求項２】
請求項１に記載の浴室空調機において、
下面カバーと結露用カバーの底壁との間に、送風路となる間隙を有する浴室空調機。
【請求項３】
請求項２に記載の浴室空調機において、
下面カバーは、グリル桟が横架された吸込口と、吸込口と並設された吹出口とを有し、
結露用カバーの底壁の少なくとも一部は、横架されたグリル桟の少なくとも一方の端部側に位置する外周壁上まで延在されている浴室空調機。
【請求項４】
請求項３に記載の浴室空調機において、
外周壁上に位置する結露用カバーには、結露用カバー上の結露を下方の外周壁上に滴下させる流出部が形成されている浴室空調機。
【発明の詳細な説明】
【技術分野】
【０００１】
本発明は、浴室空調機に関する。特に、本発明は、本体ケース内に湯水を生成する液々熱交換器を備えた浴室空調機に関する。
【背景技術】
【０００２】
従来、浴室内に温風を送風する暖房機能とともに、浴室内にミストを噴霧するミスト機能を備えた浴室空調機が知られている。この種の浴室空調機でミスト運転を実行する場合、液々熱交換器で給水源からの水と熱媒とを熱交換することにより湯水を生成し、生成した湯水をミストノズルに供給している。本体ケース内に液々熱交換器やそれに接続される配管を収容した場合、低温の水が流れる液々熱交換器や配管で結露が生じやすく、本体ケースの下方開口部を覆う下面カバーに開設された吸込口から浴室内に結露が落下して、人に当たって不快感を与えやすい。このため、例えば、吸込口の一側面側に液々熱交換器や配管を配設することが提案されている（特許文献１）。
【先行技術文献】
【特許文献】
【０００３】
【特許文献１】特開２０１５−５５４２２号公報
【発明の概要】
【発明が解決しようとする課題】
【０００４】
ところで、浴室空調機では、最近、装置のコンパクト化が求められている。そのため、本体ケース内に部品を配設するためのスペースが少なくなり、液々熱交換器に接続される配管が吸込口の上方に延設されるため、吸込口の一側面側に液々熱交換器を配設しても、配管からの結露が浴室内に落下しやすくなる。
【０００５】
また、浴室内の空気を吸い込むために、下面カバーの吸込口を介して浴室と本体ケース内とは連通しているから、吸込口の一側面側に液々熱交換器や配管を配設しても、浴室内から下面カバーに向かってシャワーなどの水がかけられると、吸込口から本体ケース内に水が侵入する。その結果、銅等の金属からなるこれらの部品が水に濡れ、腐食が発生したり、発生した錆が浴室内に落下する虞がある。
【０００６】
本発明は上記課題を解決するものであり、本発明の目的は、装置をコンパクト化しつつ、浴室内への結露の落下を防止するとともに、配管の腐食や錆の発生を防止することにある。
【課題を解決するための手段】
【０００７】
本発明は、下方開口部を有する本体ケースと、
吸込口、及び吹出口を有し、本体ケースの下方開口部を覆う下面カバーと、を備え、
本体ケース内に、
吸込口から吹出口へ向かって空気の送風路を形成する送風ファンと、
給水源から供給される水と熱媒とを熱交換する液々熱交換器と、
液々熱交換器に接続された給水管及び出湯管と、
液々熱交換器に接続された湯水用熱媒導入管及び湯水用熱媒導出管と、が収容された浴室空調機であって、
下面カバーは、吸込口及び吹出口の外周に形成された所定幅の外周壁と、吸込口と吹出口との間に対向する外周壁を連結する所定幅の連結壁とを有し、
給水管、出湯管、湯水用熱媒導入管、及び湯水用熱媒導出管からなる配管群の少なくとも一部は、吸込口の上方に設けられており、
吸込口の上方に位置する配管群を下方から覆うように、下面カバーとの間に結露用カバーが設けられ、
結露用カバーは、吸込口に対向する底壁を有し、
結露用カバーの底壁の少なくとも一部は、下面カバーの連結壁上まで延在されているとともに、連結壁側が低くなるように傾斜面で形成されている浴室空調機である。
【０００８】
液々熱交換器に接続される配管群の少なくとも一部を、下面カバーの吸込口の上方に設けることにより、本体ケース内のスペースを有効活用でき、装置をコンパクトにできる。
また、吸込口の上方に位置する配管群を下方から覆うように、下面カバーとの間に結露用カバーを設けることにより、吸込口の上方に設けた配管群から生じる結露が浴室内に落下するのを防止できる。
さらに、浴室内から下面カバーに水がかけられた場合でも、結露用カバーにより吸込口の上方に位置する配管群が水に濡れるのを防止できる。
そして、結露用カバーの底壁の少なくとも一部を、下面カバーの連結壁上まで延在させるとともに、連結壁側が低くなるように傾斜面で形成することにより、多量の結露が結露用カバーに滴下しても、確実に結露が吸込口から浴室内に落下するのを防止できる。
【０００９】
上記浴室空調機において、好ましくは、
下面カバーと結露用カバーの底壁との間に、送風路となる間隙を有する。
【００１０】
下面カバーと結露用カバーの底壁との間に、送風路となる間隙を設けることにより、結露用カバーを設けたことによる送風路内の通気抵抗の差を低減でき、均一に本体ケース内に空気を流すことができる。
【００１１】
上記浴室空調機において、好ましくは、
下面カバーは、グリル桟が横架された吸込口と、吸込口と並設された吹出口とを有し、
結露用カバーの底壁の少なくとも一部は、横架されたグリル桟の少なくとも一方の端部側に位置する外周壁上まで延在される。
【００１２】
下面カバーの外周壁上まで結露用カバーを延在させることにより、結露用カバー上に滴下した結露が吸込口から浴室内に落下するのを防止できる。
【００１３】
上記浴室空調機において、好ましくは、
外周壁上に位置する結露用カバーには、結露用カバー上の結露を下方の外周壁上に滴下させる流出部が形成される。
【００１４】
下面カバーの外周壁上まで延在させた結露用カバーに、結露用カバー上の結露を下方の外周壁上に滴下させる流出部を形成することにより、多量の結露が結露用カバー上に滴下しても、より確実に吸込口から浴室内に落下するのを防止できる。
【発明の効果】
【００１７】
以上のように、本発明によれば、液々熱交換器に接続される配管群の少なくとも一部を下面カバーの吸込口の上方に配設するとともに、これらの下方を覆うように結露用カバーを設けているから、装置のコンパクト化を図りながら、配管群に生じる結露の浴室内への落下を防止して、結露による不快感を防止できる。
また、本発明によれば、浴室内から下面カバーに向かって水がかけられ、吸込口から本体ケース内に水が侵入した場合でも、結露用カバーにより吸込口の上方に位置する配管群が水に濡れるのを防止できるから、配管群の腐食や錆の発生を防止できる。
【図面の簡単な説明】
【００１８】
【図１】図１は、本発明の実施の形態に係る浴室空調機の一例を示す概略分解斜視図である。
【図２】図２は、本発明の実施の形態に係る浴室空調機の一例を示す概略断面図である。
【図３】図３は、本発明の実施の形態に係る浴室空調機の一例を示す要部概略斜視図である。
【図４】図４は、本発明の実施の形態に係る結露用カバーの一例を示す概略斜視図である。
【発明を実施するための形態】
【００１９】
以下、本発明を適用したミスト機能付き浴室空調機について図面を参照しながら説明する。
図１及び図２に示すように、本実施の形態に係る浴室空調機は、浴室４の天井壁４１に埋設して使用される所謂天井埋設型の浴室暖房乾燥機１であって、浴室４の天井裏４０に吊り下げ状態で設置される下面開放箱状の本体ケース１１と、本体ケース１１下面の下方開口部１１０を天井壁４１に開設された取付口４１０の下方から覆う下面カバー１２とを備えている。
【００２０】
本体ケース１１の内部空間（以下、「ケース内部」という）１０には、浴室４内の空気をケース内部１０に導入し、送風路１３を通じて浴室４内へ送出するまたは排気筒１４を通じて室外へ排出する給気手段としての送風ファン１５、送風ファン１５によって形成される送風路１３へ送り込まれた空気を加熱する加熱手段としての気液熱交換器１６、ミスト用の水を加熱する加熱手段としての液々熱交換器１９や、これらの熱交換器１６，１９に接続された後述する配管１６３，１６４，１９１，１９２，１９３，１９４が組み込まれている。
【００２１】
本体ケース１１の周壁１１１は、前壁１１Ａ、後壁１１Ｂ、左右の側壁１１Ｃ，１１Ｄで構成されており、前壁１１Ａの外側面に排気筒１４が設けられている。なお、本明細書では、前壁１１Ａの外側面を浴室暖房乾燥機１の正面とし、本体ケース１１を正面側から見たときの奥行き方向を前後方向、幅方向を左右方向、高さ方向を上下方向という。
【００２２】
周壁１１１の下端外周、すなわち下方開口部１１０の外周縁には、全周に亘ってフランジ１１２が形成されており、本体ケース１１は、下方開口部１１０を取付口４１０に上方から臨ませ、且つフランジ１１２の下面を取付口４１０の外周上面に当接させた状態で、図示しない複数の吊り下げボルト及びナットによって天井裏４０に固定される。
【００２３】
下面カバー１２の外周枠１２１は、全周に亘って上向きに起立形成されており、下面カバー１２は、外周枠１２１の上端面を取付口４１０の外周下面に当接させた状態で、複数のカバー固定ネジ１７によって本体ケース１１に固定される。このように、浴室暖房乾燥機１は、本体ケース１１下面のフランジ１１２と下面カバー１２の外周枠１２１とで天井壁４１の取付口４１０周縁を上下から挟み付けるようにして設置される。
【００２４】
下面カバー１２には、浴室４内の空気をケース内部１０に導入するための吸込口２１と、ケース内部１０に導入された空気を送出したり、ミストを噴霧したりするための吹出口２２とが開設されている。吸込口２１には、左右方向に長い複数のグリル桟２１０が横架されており、下面カバー１２の後方側の半面領域に開設されている。吹出口２２は、左右方向に長い略長方形状の一つの長孔であり、下面カバー１２の前方側の半面領域に開設されている。吸込口２１及び吹出口２２の外周、すなわち吸込口２１及び吹出口２２の開口縁と下面カバー１２の外周枠１２１との間には、所定幅の外周壁１２０が形成されており、並設する吸込口２１と吹出口２２との間には、左右の外周壁１２０を連結する連結壁１２２が形成されている。
【００２５】
送風ファン１５は、シロッコファンであって、本体ケース１１の左右の側壁１１Ｃ，１１Ｄ相互間に軸支され、ファンケース１５１の外周面に設けられた空気送出口１５０を前方へ向けた姿勢でケース内部１０の後壁１１Ｂ寄りの位置に収容されている。
【００２６】
図２及び図３に示すように、気液熱交換器１６は、図示しない熱源機から供給される熱媒の熱により空気を加熱する熱媒循環式の熱交換器であって、左右方向へ縦並びに配設される複数の吸熱フィン１６１と、吸熱フィン１６１に左右方向から貫設される複数の吸熱管１６２とで構成され、送風路１３の下流端寄りの位置に収容されている。なお、図３では、煩雑化を避けるために、本体ケース１１や送風ファン１５などは省略されている。
【００２７】
各吸熱管１６２の管端相互は、Ｕ字曲管１６３により接続され、一つの熱媒流路を構成している。また、上記熱媒流路の入口側の管端には、温風用熱媒導入管１６４が接続され、熱媒流路の出口側の管端には、温風用熱媒導出管１６５が接続されている。
【００２８】
図１及び図２に戻って、吸込口２１から吹出口２２へ繋がる送風路１３は、送風ファン１５を回転させることによって形成される。ケース内部１０において、送風路１３は、下方開口部１１０近傍の後壁１１Ｂ及び左右の側壁１１Ｃ，１１Ｄと、ファンケース１５１と、送風ファン１５の空気送出口１５０から下方開口部１１０へ向かって延設される本体筒部１３１と、本体筒部１３１の下方開口部１１０側の端部（以下、「下流端部」という）１３３から下面カバー１２の吹出口２２へ向かって延設される可動筒部１３２とで構成される。本体筒部１３１、及び可動筒部１３２はいずれも、左右方向に広幅の略矩形筒状に形成されており、可動筒部１３２の下端開口部２３は、送風路１３の下流端である下面カバー１２の吹出口２２に上方から臨んでいる。
【００２９】
可動筒部１３２の下端開口部２３寄りの位置には、運転時に空気の吹出し方向を変更し、停止時に下端開口部２３を被閉するルーバ２０が軸支されている。また、可動筒部１３２の一方の側壁の外側面には、ルーバ２０の角度を調整するための風向制御モータ２００が取り付けられている。
【００３０】
本体筒部１３１は、ケース内部１０に位置決め状態で固定されており、本体筒部１３１の下流端部１３３に気液熱交換器１６が組み込まれている。従って、送風ファン１５を回転させた状態で、図示しない熱源機から熱媒を気液熱交換器１６に循環させると、吸込口２１からケース内部１０に吸込まれて送風路１３を流れる空気が加熱され、加熱された空気が吹出口２２から吹出される暖房運転が行われる。
【００３１】
本体筒部１３１における気液熱交換器１６の配設部より上流側の位置には、送風ファン１５によってケース内部１０に導入された空気の送出経路を、吹出口２２側（循環側）と排気筒１４側（排気側）とに切替可能な風路切替ダンパ１８が設けられている。従って、本実施の形態によれば、排気ファンを別途設けることなく、送風ファン１５により換気運転や乾燥運転を行うことができる。これにより、さらに装置のコンパクト化が図られている。
【００３２】
液々熱交換器１９は、複数並列された伝熱プレート１９０，１９０間に流路が形成されるプレート式熱交換器であって、図示しない熱源機から供給される熱媒と、給水源から供給される水とが交互に流れると、伝熱プレート１９０を介して熱交換が行われてミスト用の湯水が生成されるように構成されており、送風路１３の上流端寄りの位置に収容されている。
【００３３】
図３に示すように、液々熱交換器１９の後面下方の左右両端にはそれぞれ、水を供給する給水管１９１及び加熱された湯水をミストノズル２９に導出する出湯管１９２が接続されており、液々熱交換器１９の後面上方の左右両端にはそれぞれ、湯水用熱媒導入管１９３及び湯水用熱媒導出管１９４が接続されている。湯水用熱媒導入管１９３は、既述した温風用熱媒導出管１６５の下流端と接続されており、湯水用熱媒導出管１９４には、流量調整弁１９８が介設されている。従って、本実施の形態では、気液熱交換器１６の熱媒流路と液々熱交換器１９の熱媒流路とは直列接続されており、図示しない熱源機から供給される熱媒は、気液熱交換器１６を流れた後、液々熱交換器１９を流れて循環するように構成されている。これにより、配管群のコンパクト化が図られている。
【００３４】
給水管１９１は、温風用熱媒導入管１６４と同様に、本体ケース１１の側壁１１Ｃと気液熱交換器１６との間を通って液々熱交換器１９まで延設されており、給水管１９１には、フィルタ１９５や給水電磁弁１９６が介設されている。出湯管１９２は、本体ケース１１の側壁１１Ｄと気液熱交換器１６との間を通ってミストノズル２９まで延設されており、出湯管１９２には、電磁弁１９７が介設されている。
【００３５】
出湯管１９２の下流端に設けられるミストノズル２９（図１及び図２）は、ノズル孔が吹出口２２に臨むように配設されている。従って、暖房運転と同様に、気液熱交換器１６で加熱された空気を吹出口２２から浴室４内に吹出させながら、液々熱交換器１９で加熱された湯水をミストノズル２９に供給することにより、浴室４内にミストを噴霧させるミスト運転が行われる。
【００３６】
図２及び図３に示すように、湯水を生成する湯水用部品である、液々熱交換器１９、並びに給水管１９１、出湯管１９２、湯水用熱媒導入管１９３、及び湯水用熱媒導出管１９４からなる配管群の一部は、下方視で、吸込口２１の前方部の上方であって、前後方向でファンケース１５１と本体筒部１３１との間に配設されている。このように、これらの湯水用部品の少なくとも一部をケース内部１０の部品間のスペースに収容させることにより、装置のコンパクト化が図られている。
【００３７】
図１〜図４に示すように、吸込口２１の上方に位置する液々熱交換器１９及び上記配管群の下方であって、下面カバー１２との間には、これらの湯水用部品を下方から覆う樹脂製の結露用カバー８が配設されている。結露用カバー８は、左右方向に長い略矩形状の底壁８１と、底壁８１の後端及び左右方向の両端からそれぞれ上方に立設する立設壁８２Ｂ，８２Ｃ，８２Ｄとを備え、底壁８１の前端が前方に向かって開放したチリトリ状に形成されている。
【００３８】
図３に示すように、結露用カバー８の底壁８１の左右方向の一端は、下方開口部１１０が下面カバー１２で覆われたとき、側方の外周壁１２０の上方まで延在し、他端は、出湯管１９２と電磁弁１９７との接続部の下方まで延在している。なお、底壁８１は、左右方向の両端が、外周壁１２０の上方に位置するように延在していてもよい。底壁８１の前端は、既述した吸込口２１と吹出口２２との間に形成された連結壁１２２の上方まで延在しており、後端は、液々熱交換器１９の前方に延設された湯水用熱媒導出管１９４の下方を覆う位置まで延在している。従って、図１に示すように、下方視で、吸込口２１の上方に位置する液々熱交換器１９及び上記配管群からなる湯水用部品の略全体が下方から結露用カバー８で覆われており、これらの湯水用部品は結露用カバー８を介して吸込口２１と対向している。
【００３９】
図２に示すように、左右方向中央より本体ケース１１の側壁１１Ｄ側の結露用カバー８の底壁半体８１ａは、後方よりも前方の連結壁１２２側が低くなるように傾斜面で形成されている。また、図４に示すように、左右方向中央より側壁１１Ｃ側の結露用カバー８の底壁半体８１ｂは、上方に位置するフィルタ１９５や流量調整弁１９８等の部材を配設するために、後端が底壁半体８１ａのそれよりも下方に突出するように形成されている。これにより、左右方向中央より側壁１１Ｃ側の結露用カバー８には、下方に突出する凹部８６が形成されている。また、凹部８６の側壁を構成する立設壁８２Ｃには、切欠き部（以下、「流出部」という）８５が形成されている。なお、流出部８５は、外周壁１２０上に位置する底壁８１の一部を穿設することにより形成されてもよい。
【００４０】
結露用カバー８は、底壁８１と下面カバー１２との間に、最も狭い部分で一定の隙間Ｓ（本実施の形態では、約１０ｍｍ）が形成されるように、本体筒部１３１及び電子部品のカバー部材２５０（図１）に図示しないボルト及びナットによって固定される。従って、送風ファン１５を回転させて、結露用カバー８の下方に位置する吸込口２１から浴室４内の空気が吸込まれると、結露用カバー８と下面カバー１２との間の隙間Ｓは送風路１３の一部を構成する。
【００４１】
なお、図示しないが、本体筒部１３１の後壁の左右方向略中央には、下面カバー１２を仮保持するための連結紐が連結されるクランプが配設されており、クランプの下方に位置する結露用カバー８の前端には、連結紐を挿通させるために切欠かれた挿通部８４が設けられている。また、結露用カバー８の後端には、位置決めのためにファンケース１５１の下方に形成された被係合部と係合するよう後方に突出する突設部８８，８８が形成されている。
【００４２】
上記浴室暖房乾燥機１でミスト運転が行われる場合、各熱媒導入管１６４，１９３及び熱媒導出管１６５，１９４を介して熱源機と気液熱交換器１６及び液々熱交換器１９との間で熱媒が循環されるとともに、液々熱交換器１９には、給水管１９１を介して水が供給される。それゆえ、高温の熱媒のみが流れる気液熱交換器１６や各熱媒導入管１６４，１９３及び熱媒導出管１６５，１９４には結露は生じ難いが、低温の水が流れる給水管１９１や液々熱交換器１９の表面に結露が生じやすい。
一方、既述したように、本実施の形態では、液々熱交換器１９やそれに接続されている配管群をケース内部１０の小スペースに収容して装置をコンパクトにするため、これらの湯水用部品は、下面カバー１２の吸込口２１の上方に配設される。従って、発生する結露は、下方の吸込口２１に向かって滴下するが、吸込口２１の上方に位置する液々熱交換器１９及び配管群からなる湯水用部品の下方には、結露用カバー８が設けられているから、滴下する結露を結露用カバー８によって受け止めることができ、吸込口２１から浴室４内に結露が落下するのを防止できる。
【００４３】
また、上記湯水用部品を吸込口２１の上方に配設すると、浴室４内から下面カバー１２に向かってシャワーなどの水がかけられた場合、吸込口２１を介してケース内部１０に水が侵入し、湯水用部品が水に濡れやすくなる。しかしながら、本実施の形態によれば、吸込口２１の上方に配設された湯水用部品の下方を覆うように結露用カバー８が設けられているから、浴室４内からケース内部１０に水が侵入した場合でも、湯水用部品が水に濡れ難い。これにより、銅等の金属からなる湯水用部品の腐食や錆の発生を防止できる。また、湯水用部品に錆が発生した場合でも、下方の結露用カバー８により錆が浴室４内に落下するのを防止できる。
【００４４】
また、結露用カバー８を設けることによって、結露用カバー８が設けられている領域と、結露用カバー８が設けられていない領域とで、送風路１３内に通気抵抗の差が生じやすいが、上記実施の形態によれば、下面カバー１２と結露用カバー８との間には一定の隙間Ｓが形成されるように結露用カバー８が配設されているから、該隙間Ｓが送風路１３の一部を構成する。これにより、ケース内部１０に均一に空気を流すことができる。
【００４５】
また、左右方向において、結露用カバー８の底壁８１の一端は、下方開口部１１０が下面カバー１２で覆われたとき、外周壁１２０の上方まで延在されているから、滴下した結露が結露用カバー８から横溢しても、下面カバー１２の外周壁１２０上で受け止められ、吸込口２１から浴室４内に落下するのを防止できる。また、外周壁１２０上まで延在されている結露用カバー８には、流出部８５が形成されているから、結露用カバー８上に滞留した結露を流出部８５から円滑に外周壁１２０上に滴下させることができる。さらに、結露用カバー８の底壁８１の前端は、吸込口２１を越えて吸込口２１と吹出口２２との間の連結壁１２２上まで延在されているとともに、底壁８１の一部は、連結壁１２２側が低くなるように傾斜面で形成されているから、多量の結露が結露用カバー８上に滴下しても、結露を円滑に連結壁１２２上に滴下させることができ、結露用カバー８の後方から下方の吸込口２１に結露が横溢し、浴室４内に落下するのを防止できる。しかも、結露用カバー８の下方に位置する連結壁１２２は、吸込口２１側が吹出口２２側よりも高くなるように傾斜面で形成されているから、多量の結露が連結壁１２２上に滴下しても、結露が吸込口１２に向かって流れ難く、さらに浴室４内への結露の落下を低減できる。
【００４６】
なお、上記実施の形態では、ミスト機能を有する浴室暖房乾燥機について説明したが、本発明は、打たせ湯機能を有する浴室空調機のように、液々熱交換器やそれに接続された配管群以外に、他の配管も吸込口上に配設される浴室空調機にも適用できる。また、排気筒や風路切替ダンパを備えておらず乾燥機能を有さない浴室空調機や、暖房機能を有さず、乾燥機能を有する浴室空調機にも適用できる。
【符号の説明】
【００４７】
１        浴室暖房乾燥機（浴室空調機）
１１      本体ケース
１１０    下方開口部
１２      下面カバー
２１      吸込口
２２      吹出口
１２０    外周壁
１２２    連結壁
１５      送風ファン
１６      気液熱交換器
１６４    温風用熱媒導入管
１６５    温風用熱媒導出管
１９      液々熱交換器
１９１    給水管
１９２    出湯管
１９３    湯水用熱媒導入管
１９４    湯水用熱媒導出管
８        結露用カバー
８１      底壁
８５      流出部
【図１】
0006512973.tif 000002
【図２】
0006512973.tif 000003
【図３】
0006512973.tif 000004
【図４】
0006512973.tif 000005